(57)【要約】【課題】アースピンを備えるプラグの大型化を抑制する。【解決手段】一対の交流ピン２とアースピンは、第一方向に延びている。アースピンを支持する第二支持部は、第一方向と直交する第二方向に摺動可能とされている。第二支持部には突起が設けられている。摺動案内部３２にはカム溝３３が設けられている。カム溝３３は、第二方向と交差する向きに開口する第一凹部３３ａと第二凹部３３ｂを含んでいる。突起は、アースピンが使用位置に配置されると第一凹部３３ａと係合する。突起は、第二支持部の摺動に伴って、第三凹部３３ｃを移動する。アースピンが不使用位置に配置されると第二凹部３３ｂと係合する。【選択図】図４
2016081720.tif 000002
【特許請求の範囲】
【請求項１】
交流電力ソケットに接続されるプラグであって、
一対の交流ピンと、
前記一対の交流ピンと平行に延びているアースピンと、
前記一対の交流ピンを支持している第一支持部と、
前記アースピンを支持している第二支持部と、
案内部材と、
前記第二支持部と前記案内部材の一方に設けられた突起と、
前記第二支持部と前記案内部材の他方に設けられたカム面と、
を備えており、
前記第二支持部は、第一位置と第二位置の間を前記アースピンの延びている第一方向と直交する第二方向に摺動可能とされており、
前記第二位置における前記アースピンと前記一対の交流ピンの間隔は、前記第一位置における当該間隔よりも小さく、
前記カム面は、前記第二方向に配列された第一凹部と第二凹部を含んでおり、
前記第一凹部と前記第二凹部は、前記第二方向と交差する向きに開口しており、
前記突起は、前記第二支持部が前記第一位置に配置されると前記第一凹部と係合し、前記第二支持部の摺動に伴って前記第一凹部と前記第二凹部の間を移動し、前記第二支持部が前記第二位置に配置されると前記第二凹部と係合する、
プラグ。
【請求項２】
前記突起の前記第一凹部または前記第二凹部からの係合解除は、前記第二方向に延びる軸を中心に前記第二支持部を回動させることによりなされる、
請求項１に記載のプラグ。
【請求項３】
前記案内部材は、前記第一方向に延びる軸を中心に回動可能とされており、
前記突起は、前記案内部材に設けられており、
前記カム面は、前記第二支持部に設けられており、
前記突起の前記第一凹部または前記第二凹部からの係合解除は、前記第二支持部の摺動に伴って前記案内部材が回動することによりなされる、
請求項１に記載のプラグ。
【請求項４】
前記第一支持部は、第一係合部を備えており、
前記案内部材は、第二係合部を備えており、
前記第一凹部、前記第二凹部、および前記第一係合部は、前記第二方向に平行な直線上に配列されており、
前記第二係合部は、前記突起が前記第一凹部または前記第二凹部と係合しているときに前記第一係合部と係合し、
前記第二係合部は、前記突起の前記第一凹部または前記第二凹部に対する係合が解除されると、前記案内部材の回動に伴い、前記第一係合部に対する係合が解除される、
請求項３に記載のプラグ。
【請求項５】
請求項１から４のいずれか一項に記載のプラグと、
前記プラグを通じて給電対象に電力を供給する給電部と、
を備えている、
装置。
【請求項６】
交流電力ソケットに接続されるプラグであって、
一対の交流ピンと、
前記一対の交流ピンと平行に延びているアースピンと、
前記一対の交流ピンを支持している第一支持部と、
前記アースピンを支持している第二支持部と、
変位可能に前記第一支持部に支持されている操作部材と、
を備えており、
前記第二支持部は、第一位置と第二位置の間を前記アースピンの延びている第一方向と直交する第二方向に摺動可能とされており、
前記第二位置における前記アースピンと前記一対の交流ピンの間隔は、前記第一位置における当該間隔よりも小さく、
前記操作部材の変位に伴って前記第二支持部の摺動が許容される、
プラグ。
【請求項７】
前記操作部材は、突起と付勢部材を備えており、
前記第二支持部は、第二方向に配列された第一凹部と第二凹部を含むカム面を有しており、
前記付勢部材は、前記操作部材を初期位置へ向けて付勢しており、
前記突起は、前記操作部材が前記初期位置に配置されているときに前記第一凹部または前記第二凹部と係合可能とされており、
前記操作部材を前記付勢部材の付勢力に抗って前記初期位置から変位させることにより、前記突起の前記第一凹部または前記第二凹部に対する係合が解除され、前記第二支持部の摺動が許容される、
請求項６に記載のプラグ。
【請求項８】
前記操作部材は、前記第二支持部に連結されており、
前記操作部材は、前記第一方向と前記第二方向に直交する向きに延びる軸を中心として第三位置と第四位置の間を回動可能とされており、
前記第一支持部と前記操作部材の一方に突起が設けられており、
前記第一支持部と前記操作部材の他方にカム面が設けられており、
前記第二支持部は、前記操作部材が前記第三位置に配置されているときに前記第一位置に配置され、前記操作部材が前記第四位置に配置されているときに前記第二位置に配置され、前記操作部材の回動に伴い前記突起が前記カム面に沿って移動することにより、摺動が許容され、
前記第四位置に配置された前記操作部材は、前記第一支持部から前記第一方向に突出しており、
前記第三位置に配置された前記操作部材は、その一部が前記第一支持部の内部に収容されることにより、前記第一支持部から前記第一方向に突出していない、
請求項６に記載のプラグ。
【請求項９】
前記突起は、前記第一支持部に設けられており、
前記カム面は、前記操作部材に設けられており、
前記カム面は、第一部分と第二部分を有しており、
前記操作部材が前記第三位置に配置されると、前記突起は前記第一部分に配置されるとともに、当該第一部分は前記第一方向に延びており、
前記操作部材が前記第四位置に配置されると、前記突起は前記第二部分に配置されるとともに、当該第二部分は前記第一方向に延びている、
請求項８に記載のプラグ。
【請求項１０】
請求項６から９のいずれか一項に記載のプラグと、
前記プラグを通じて給電対象に電力を供給する給電部と、
を備えている、
装置。
【発明の詳細な説明】
【技術分野】
【０００１】
本発明は、交流電力ソケットに接続されるプラグに関する。また、本発明は、当該プラグを通じて電力を供給する給電部を備えている装置に関する。
【背景技術】
【０００２】
この種のプラグとして、一対の交流ピンと、当該一対の交流ピンと平行に延びているアースピンを備えている構成が知られている（例えば、非特許文献１を参照）。
【先行技術文献】
【非特許文献】
【０００３】
【非特許文献１】ウィキトラベル、“世界のプラグと電圧”、［平成２６年１０月１６日検索］、インターネット＜URL：http://wikitravel.org/ja/%E4%B8%96%E7%95%8C%E3%81%AE%E3%83%97%E3%83%A9%E3%82%B0%E3%81%A8%E9%9B%BB%E5%9C%A7＞
【発明の概要】
【発明が解決しようとする課題】
【０００４】
一対の交流ピンとアースピンの位置は規格により定められているため、製品としてのプラグの寸法や形状は、当該規格の制約を受ける。アースピンを備えない交流ピンと比較して製品の大型化が避けられず、流通時における仕向け先に依らない梱包材の標準化を妨げている。
【０００５】
よって本発明は、アースピンを備えるプラグの大型化を抑制することを目的とする。
【課題を解決するための手段】
【０００６】
上記の目的を達成するために本発明がとりうる第一の態様は、交流電力ソケットに接続されるプラグであって、
一対の交流ピンと、
前記一対の交流ピンと平行に延びているアースピンと、
前記一対の交流ピンを支持している第一支持部と、
前記アースピンを支持している第二支持部と、
案内部材と、
前記第二支持部と前記案内部材の一方に設けられた突起と、
前記第二支持部と前記案内部材の他方に設けられたカム面と、
を備えており、
前記第二支持部は、第一位置と第二位置の間を前記アースピンの延びている第一方向と直交する第二方向に摺動可能とされており、
前記第二位置における前記アースピンと前記一対の交流ピンの間隔は、前記第一位置における当該間隔よりも小さく、
前記カム面は、前記第二方向に配列された第一凹部と第二凹部を含んでおり、
前記第一凹部と前記第二凹部は、前記第二方向と交差する向きに開口しており、
前記突起は、前記第二支持部が前記第一位置に配置されると前記第一凹部と係合し、前記第二支持部の摺動に伴って前記第一凹部と前記第二凹部の間を移動し、前記第二支持部が前記第二位置に配置されると前記第二凹部と係合する。
【０００７】
プラグの使用時においては、第二支持部を使用位置まで摺動させることにより、一対の交流ピンとアースピンを、規格で定められた位置関係が成立するように配置できる。他方、プラグの不使用時においては、第二支持部を不使用位置まで摺動させることにより、一対の交流ピンとアースピンの間隔が小さくなり、プラグ全体の寸法を小さくできる。アースピンを備えない形式のプラグの寸法に近づけることができるため、流通時において両形式に共通の梱包材を用いることが容易となる。
【０００８】
また、上記の構成によれば、アースピンが使用位置または不使用位置に固定された状態と、アースピンが使用位置と不使用位置の間を移動可能な状態との間の遷移が、非常に簡単な構成により実現される。具体的には、当該遷移は、カム面に含まれる第一凹部または第二凹部に対する突起の係合あるいは係合解除により実現される。したがって、コストの上昇を抑えつつ、アースピンを備えるプラグの大型化を抑制できる。
【０００９】
第一の態様に係るプラグは、以下のように構成されうる。
前記突起の前記第一凹部または前記第二凹部からの係合解除は、前記第二方向に延びる軸を中心に前記第二支持部を回動させることによりなされる。
【００１０】
このような構成によれば、カム面に含まれる第一凹部または第二凹部に対する突起の係合あるいは係合解除は、第二方向に延びる軸を中心として第二支持部を回動させるのみで実現される。このような単純な構成を採用することにより、部品コストの上昇を最小限に抑えつつ、アースピンを備えるプラグの大型化を抑制できる。
【００１１】
あるいは、第一の態様に係るプラグは、以下のように構成されうる。
前記案内部材は、前記第一方向に延びる軸を中心に回動可能とされており、
前記突起は、前記案内部材に設けられており、
前記カム面は、前記第二支持部に設けられており、
前記突起の前記第一凹部または前記第二凹部からの係合解除は、前記第二支持部の摺動に伴って前記案内部材が回動することによりなされる。
【００１２】
このような構成によれば、アースピンが使用位置または不使用位置に固定された状態と、アースピンが使用位置と不使用位置の間を移動可能な状態との間の遷移が、第一方向に延びる軸を中心とするカムの回動により実現される。カムの回動は、ユーザによるアースピンの第二方向への操作のみによって実現されるため、取扱い性に優れている。したがって、ユーザの利便性を確保しつつ、アースピンを備えるプラグの大型化を抑制できる。
【００１３】
この場合、第一の態様に係るプラグは、以下のように構成されうる。
前記第一支持部は、第一係合部を備えており、
前記案内部材は、第二係合部を備えており、
前記第一凹部、前記第二凹部、および前記第一係合部は、前記第二方向に平行な直線上に配列されており、
前記第二係合部は、前記突起が前記第一凹部または前記第二凹部と係合しているときに前記第一係合部と係合し、
前記第二係合部は、前記突起の前記第一凹部または前記第二凹部に対する係合が解除されると、前記案内部材の回動に伴い、前記第一係合部に対する係合が解除される。
【００１４】
このような構成によれば、アースピンが使用位置または不使用位置に配置されている場合において、突起の第二方向への変位を規制しやすい。したがって、アースピンの使用位置または不使用位置における固定状態を安定的にしつつ、アースピンを備えるプラグの大型化を抑制できる。
【００１５】
上記の目的を達成するために本発明がとりうる第二の態様は、第一の態様に係るプラグと、前記プラグを通じて給電対象に電力を供給する給電部と、を備えている装置である。
【００１６】
上記の目的を達成するために本発明がとりうる第三の態様は、交流電力ソケットに接続されるプラグであって、
一対の交流ピンと、
前記一対の交流ピンと平行に延びているアースピンと、
前記一対の交流ピンを支持している第一支持部と、
前記アースピンを支持している第二支持部と、
変位可能に前記第一支持部に支持されている操作部材と、
を備えており、
前記第二支持部は、第一位置と第二位置の間を前記アースピンの延びている第一方向と直交する第二方向に摺動可能とされており、
前記第二位置における前記アースピンと前記一対の交流ピンの間隔は、前記第一位置における当該間隔よりも小さく、
前記操作部材の変位に伴って前記第二支持部の摺動が許容される。
【００１７】
プラグの使用時においては、第二支持部を使用位置まで摺動させることにより、一対の交流ピンとアースピンを、規格で定められた位置関係が成立するように配置できる。他方、プラグの不使用時においては、第二支持部を不使用位置まで摺動させることにより、一対の交流ピンとアースピンの間隔が小さくなり、プラグ全体の寸法を小さくできる。アースピンを備えない形式のプラグの寸法に近づけることができるため、流通時において両形式に共通の梱包材を用いることが容易となる。
【００１８】
また、上記の構成によれば、アースピンが使用位置または不使用位置に固定された状態から、アースピンが使用位置と不使用位置の間を移動可能な状態への遷移が、操作部材の変位のみで実現される。したがって、ユーザの利便性を確保しつつ、アースピンを備えるプラグの大型化を抑制できる。
【００１９】
第三の態様に係るプラグは、以下のように構成されうる。
前記操作部材は、突起と付勢部材を備えており、
前記第二支持部は、第二方向に配列された第一凹部と第二凹部を含むカム面を有しており、
前記付勢部材は、前記操作部材を初期位置へ向けて付勢しており、
前記突起は、前記操作部材が前記初期位置に配置されているときに前記第一凹部または前記第二凹部と係合可能とされており、
前記操作部材を前記付勢部材の付勢力に抗って前記初期位置から変位させることにより、前記突起の前記第一凹部または前記第二凹部に対する係合が解除され、前記第二支持部の摺動が許容される。
【００２０】
このような構成によれば、突起が、付勢部材の付勢力によりカム面の第一凹部または第二凹部内に安定的に保持される。そのため、アースピンが使用位置または不使用位置に配置されている場合において、突起の第二方向への変位を規制しやすい。したがって、アースピンの使用位置または不使用位置における固定状態の安定性を高めつつ、アースピンを備えるプラグの大型化を抑制できる。
【００２１】
あるいは、第三の態様に係るプラグは、以下のように構成されうる。
前記操作部材は、前記第二支持部に連結されており、
前記操作部材は、前記第一方向と前記第二方向に直交する向きに延びる軸を中心として第三位置と第四位置の間を回動可能とされており、
前記第一支持部と前記操作部材の一方に突起が設けられており、
前記第一支持部と前記操作部材の他方にカム面が設けられており、
前記第二支持部は、前記操作部材が前記第三位置に配置されているときに前記第一位置に配置され、前記操作部材が前記第四位置に配置されているときに前記第二位置に配置され、
前記操作部材の回動に伴い前記突起が前記カム面に沿って移動することにより、摺動が許容され、
前記第四位置に配置された前記操作部材は、前記第一支持部から前記第一方向に突出しており、
前記第三位置に配置された前記操作部材は、その一部が前記第一支持部の内部に収容されることにより、前記第一支持部から前記第一方向に突出していない。
【００２２】
このような構成によれば、第二支持部の使用位置と不使用位置の間の摺動を、操作部材の回動操作のみによって実現できる。第二支持部が不使用位置にある場合、操作部材は、第一支持部から第一方向に突出している。そのため、第一方向と交差する方向への寸法増大を回避できる。また、ユーザによる操作部材へのアクセスが容易とされる。他方、第二支持部が使用位置にある場合、操作部材の一部は第一支持部の内部に収容され、第一方向に突出しない。これにより、プラグの交流電力ソケットへの接続操作が妨げられない。したがって、ユーザの利便性を確保しつつ、アースピンを備えるプラグの大型化を抑制できる。
【００２３】
この場合、第三の態様に係るプラグは、以下のように構成されうる。
前記突起は、前記第一支持部に設けられており、
前記カム面は、前記操作部材に設けられており、
前記カム面は、第一部分と第二部分を有しており、
前記操作部材が前記第三位置に配置されると、前記突起は前記第一部分に配置されるとともに、当該第一部分は前記第一方向に延びており、
前記操作部材が前記第四位置に配置されると、前記突起は前記第二部分に配置されるとともに、当該第二部分は前記第一方向に延びている。
【００２４】
このような構成によれば、アースピンが使用位置または不使用位置に配置されている場合において、突起の第二方向への変位を規制しやすい。したがって、アースピンの使用位置または不使用位置における固定状態の安定性を高めつつ、アースピンを備えるプラグの大型化を抑制できる。
【００２５】
上記の目的を達成するために本発明がとりうる第四の態様は、第三の態様に係るプラグと、前記プラグを通じて給電対象に電力を供給する給電部と、を備えている装置である。
【発明の効果】
【００２６】
本発明によれば、アースピンを備えるプラグの大型化を抑制できる。
【図面の簡単な説明】
【００２７】
【図１】第一の実施形態に係るプラグを示す斜視図である。
【図２】図１のプラグが備えるアースピンと第二支持部を示す斜視図である。
【図３】図１のプラグが備えるカバーを示す斜視図である。
【図４】図１のプラグが備える第一支持部を示す斜視図である。
【図５】図１のプラグが備える第二支持部の摺動動作を説明する図である。
【図６】第二の実施形態に係るプラグを示す斜視図である。
【図７】図６のプラグが備えるカバー、アースピン、第二支持部、およびカムを示す分解斜視図である。
【図８】図６のプラグが備える第一支持部とカムを示す斜視図である。
【図９】図６のプラグが備える第二支持部の摺動動作を説明する図である。
【図１０】第三の実施形態に係るプラグを示す斜視図である。
【図１１】図１０のプラグが備えるカバー、アースピン、第二支持部、およびカムスプリングを示す分解斜視図である。
【図１２】図１０のプラグが備えるアースピンと第二支持部を示す斜視図である。
【図１３】図１０のプラグが備えるカムスプリングを示す斜視図である。
【図１４】図１０のプラグが備える第一支持部を示す斜視図である。
【図１５】図１０のプラグが備える第二支持部の摺動動作を説明する図である。
【図１６】第四の実施形態に係るプラグを示す斜視図である。
【図１７】図１６のプラグが備える第一支持部を示す分解斜視図である。
【図１８】図１６のプラグが備えるカバー、アースピン、第二支持部、およびカムレバーを示す分解斜視図である。
【図１９】図１６のプラグが備えるカムレバーを示す斜視図である。
【図２０】図１６のプラグが備える第二支持部の一部を拡大して示す斜視図である。
【図２１】図１６のプラグが備える第二支持部の摺動動作を説明する図である。
【図２２】上記のプラグを備える装置を模式的に示す図である。
【発明を実施するための形態】
【００２８】
添付の図面を参照しつつ、本発明に係る実施形態の例について以下詳細に説明する。なお以下の説明に用いる各図面では、各部材を認識可能な大きさとするために縮尺を適宜変更している。また「前後」「左右」「上下」という表現は、説明の便宜のために用いるものであり、実際の使用状態における姿勢や方向を限定するものではない。
【００２９】
図１の（ａ）は、第一の実施形態に係るプラグ１の使用時における外観を示す斜視図である。プラグ１は、使用に際して交流電力ソケットに接続されるプラグである。プラグ１には、図示しない給電線が接続されている。
【００３０】
プラグ１は、一対の交流ピン２を備えている。一対の交流ピン２は、金属などの導電性材料により形成されている。一対の交流ピン２は、規格により定められた間隔をあけて配列され、互いに平行に延びている。一対の交流ピン２は、プラグ１が交流電力ソケットに接続される際に、当該交流電力ソケットの交流端子に接続される。
【００３１】
プラグ１は、第一支持部３を備えている。第一支持部３は、樹脂などの絶縁性材料により形成されている。第一支持部３は、一対の交流ピン２を支持している。
【００３２】
プラグ１は、アースピン４を備えている。アースピン４は、樹脂などの絶縁性材料により形成されている。アースピン４は、一対の交流ピン２と平行に延びている。図１の（ａ）に示した状態において、アースピン４は、一対の交流ピン２の各々に対して、規格により定められた間隔をあけて配置されている。アースピン４は、プラグ１が交流電力ソケットに接続される際に、当該交流電力ソケットのアース端子に接続される。アースピン４は、一対の交流ピン２に対して電気的に絶縁されていれば、金属などの導電性材料により形成されてもよい。
【００３３】
本明細書においては、アースピン４の延びている方向（すなわち、一対の交流ピン２が延びている方向でもある）を、第一方向と定義する。
【００３４】
一対の交流ピン２とアースピン４の形状および長さは、規格により適宜に定められる。例えば、英国における規格の場合、アースピン４が交流電力ソケットのアース端子に先ず挿入されることにより、交流端子を閉塞している安全シャッターが開放される。したがって、アースピン４の長さは、一対の交流ピン２よりも長い。
【００３５】
プラグ１は、第二支持部５を備えている。第二支持部５は、樹脂などの絶縁性材料により形成されている。第二支持部５は、アースピン４を支持している。本実施形態においては、アースピン４は、第二支持部５と一体に成形されている。しかしながら、別体として成形されたアースピン４と第二支持部５が結合される構成も採用されうる。
【００３６】
プラグ１は、カバー６を備えている。カバー６は、樹脂などの絶縁性材料により形成されている。カバー６は、第一支持部３に装着される。第二支持部５は、第一支持部３とカバー６の間に支持されている。
【００３７】
図１の（ｂ）は、プラグ１の不使用時における外観を示す斜視図である。第二支持部５は、図１の（ａ）に示した使用位置（第一位置の一例）と図１の（ｂ）に示した不使用位置（第二位置の一例）の間を摺動可能とされている。摺動方向は、アースピン４の延びている方向と直交する向きである。本明細書においては、当該摺動方向を、上記第一方向に直交する第二方向と定義する。
【００３８】
第二支持部５が不使用位置に配置された場合における一対の交流ピン２とアースピン４の間隔は、第二支持部５が使用位置に配置された場合における当該間隔よりも小さい。
【００３９】
図２は、アースピン４および第二支持部５の外観を示す斜視図である。第二支持部５は、第一突起５１と第二突起５２を有している。
【００４０】
図３の（ａ）は、カバー６を外面側から見た外観を示す斜視図である。カバー６は、第一部分６１、第二部分６２、および第三部分６３を有している。第一部分６１は、カバー６が第一支持部３に装着されたときに一対の交流ピン２の間に配置される部分である。第二部分６２と第三部分６３は、その間に収容空間６４を区画している。収容空間６４は、不使用位置に配置されたアースピン４を収容するための空間である。第二部分６２には、傾斜面６５が形成されている。傾斜面６５は、第一方向に対して傾斜している。傾斜面６５は、収容空間６４に面するように配置されている。
【００４１】
図３の（ｂ）は、カバー６を内面側から見た外観を示す斜視図である。カバー６は、第一部分６１の内面側に摺動案内部６６（案内部材の一例）を有している。摺動案内部６６は、第二方向に延びる溝の形状を有している。摺動案内部６６の内壁面には、カム溝６７（カム面の一例）が形成されている。
【００４２】
カム溝６７は、第一凹部６７ａ、第二凹部６７ｂ、および第三凹部６７ｃを含んでいる。カバー６が第一支持部３に装着された状態において、第一凹部６７ａと第二凹部６７ｂは、第二方向に配列されている。第三凹部６７ｃは、第二方向に延びている。第一凹部６７ａは、第二方向と交差する向きに開口することにより、第三凹部６７ｃの一端部と連通している。第二凹部６７ｂは、第二方向と交差する向きに開口することにより、第三凹部６７ｃの他端部と連通している。
【００４３】
図４は、一対の交流ピン２を支持している第一支持部３の外観を示す斜視図である。第一支持部３は、カバー受容部３１と摺動案内部３２を有している。カバー受容部３１は、カバー６に対応する形状の凹部を有している。摺動案内部３２（案内部材の一例）は、第一支持部３に装着されたカバー６の摺動案内部６６に対向する位置に形成されている。摺動案内部３２は、第二方向に延びている。摺動案内部３２の内壁面には、カム溝３３（カム面の一例）が形成されている。
【００４４】
カム溝３３は、第一凹部３３ａ、第二凹部３３ｂ、および第三凹部３３ｃを含んでいる。第一凹部３３ａと第二凹部３３ｂは、第二方向に配列されている。第三凹部３３ｃは、第二方向に延びている。第一凹部３３ａは、第二方向と交差する向きに開口することにより、第三凹部３３ｃの一端部と連通している。第二凹部３３ｂは、第二方向と交差する向きに開口することにより、第三凹部３３ｃの他端部と連通している。
【００４５】
図１に記載の状態となるようにプラグ１を組み立てる方法を説明する。まず、アースピン４を支持している第二支持部５が、摺動案内部３２に配置される。このとき、第二支持部５の第二突起５２は、カム溝３３内に配置される。次いで、カバー６が、カバー受容部３１に装着される。これにより、第二支持部５は、摺動案内部３２と摺動案内部６６の間に挟持される。このとき、第二支持部５の第一突起５１は、カム溝６７内に配置される。
【００４６】
図３に示したように、カバー６は、第一貫通穴６８と第二貫通穴６９を有している。第一貫通穴６８は、第二部分６２に形成されている。第二貫通穴６９は、第三部分６３に形成されている。他方、図４に示したように、カバー受容部３１は、第一受容穴３５と第二受容穴３６を有している。第一受容穴３５は、カバー６がカバー受容部３１に装着されたときに第一貫通穴６８に対向する位置に形成されている。第二受容穴３６は、カバー６がカバー受容部３１に装着されたときに第二貫通穴６９に対向する位置に形成されている。
【００４７】
カバー６がカバー受容部３１に装着された状態において、不図示の第一締結部材が第一貫通穴６８を挿通され、第一受容穴３５に挿入される。同様に、不図示の第二締結部材が第二貫通穴６９を挿通され、第二受容穴３６に挿入される。これにより、カバー６は、第一支持部３に対して固定される。
【００４８】
本実施形態においては、摺動案内部３２は、第一支持部３の一部として成形されている。しかしながら、別体として形成された第一支持部３と摺動案内部３２が結合される構成も採用されうる。
【００４９】
次に、図５を参照しつつ、第二支持部５の使用位置と不使用位置の間の摺動動作についてより詳細に説明する。同図においては、カバー６は、不図示とされている。
【００５０】
図５の（ａ）は、第二支持部５が不使用位置に配置された状態のプラグ１を示している。このとき、第二支持部５の第二突起５２は、カム溝３３の第二凹部３２ｂと係合している。他方、第二支持部５の第一突起５１は、不図示のカバー６におけるカム溝６７の第二凹部６７ｂと係合している。第一突起５１および第二突起５２がそれぞれ第二凹部６７ｂおよび第二凹部３３ｂと係合することにより、第二支持部５は、第二方向への変位が規制されている。すなわち、アースピン４は、不使用位置に固定されている。
【００５１】
図５の（ａ）に示した状態は、図１の（ｂ）に示した状態に対応している。すなわち、図５の（ａ）に示した状態において、アースピン４は、カバー６の収容空間６４内に配置されている。
【００５２】
この状態から、図５の（ｂ）に示すように、第二方向に延びる軸を中心としてアースピン４を回動させると、第一突起５１は、不図示のカバー６におけるカム溝６７の第三凹部６７ｃに進入する。第二突起５２は、カム溝３３の第三凹部３３ｃに進入する。カバー６の傾斜面６５は、アースピン４の回動動作を許容するために形成されている。すなわち、第一突起５１および第二突起５２の第二凹部６７ｂおよび第二凹部３３ｂに対する係合が解除される。この状態において、第一突起５１と第二突起５２は、それぞれ第三凹部６７ｃと第三凹部３３ｃに沿う第二方向への変位が許容される。
【００５３】
次いで、図５の（ｃ）に示すように、アースピン４が使用位置へ向かって引き出される。このとき、第一突起５１は、不図示のカバー６におけるカム溝６７の第一凹部６７ａに向かって、第三凹部６７ｃ内を第二方向に移動する。第二突起５２は、カム溝３３の第一凹部３３ａに向かって、第三凹部３３ｃ内を第二方向に移動する。これにより、第二支持部５は、摺動案内部３２と摺動案内部６６により区画された空間内を、第二方向に摺動する。
【００５４】
アースピン４が使用位置に到達すると、図５の（ｄ）に示すように、図５の（ｂ）に示した場合とは逆向きにアースピン４を回動させる。このとき、第一突起５１は、不図示のカバー６におけるカム溝６７の第一凹部６７ａと係合する。第二突起５２は、カム溝３３の第一凹部３３ａと係合する。これにより、第二支持部５は、第二方向への変位が規制される。すなわち、アースピン４は、使用位置に固定される。
【００５５】
アースピン４を使用位置から不使用位置へ移動させるには、図５の（ａ）から（ｄ）を参照して説明した動作を逆に行なえばよい。
【００５６】
プラグ１の使用時においては、第二支持部５を図１の（ａ）に示した使用位置まで摺動させることにより、一対の交流ピン２とアースピン４を、規格で定められた位置関係が成立するように配置できる。他方、プラグ１の不使用時においては、第二支持部５を図１の（ｂ）に示した不使用位置まで摺動させることにより、一対の交流ピン２とアースピン４の間隔が小さくなり、プラグ１全体の寸法を小さくできる。アースピンを備えない形式のプラグの寸法に近づけることができるため、流通時において両形式に共通の梱包材を用いることが容易となる。
【００５７】
本実施形態の構成によれば、アースピン４が使用位置または不使用位置に固定された状態と、アースピン４が使用位置と不使用位置の間を移動可能な状態との間の遷移が、非常に簡単な構成により実現される。具体的には、当該遷移は、カム溝６７に含まれる第一凹部６７ａまたは第二凹部６７ｂに対する第一突起５１の係合あるいは係合解除、およびカム溝３３に含まれる第一凹部３３ａまたは第二凹部３３ｂに対する第二突起５２の係合あるいは係合解除により実現される。したがって、コストの上昇を抑えつつ、アースピン４を備えるプラグ１の大型化を抑制できる。
【００５８】
本実施形態の場合、カム溝６７に含まれる第一凹部６７ａまたは第二凹部６７ｂに対する第一突起５１の係合あるいは係合解除、およびカム溝３３に含まれる第一凹部３３ａまたは第二凹部３３ｂに対する第二突起５２の係合あるいは係合解除は、第二方向に延びる軸を中心として第二支持部５を回動させるのみで実現される。このような単純な構成を採用することにより、部品コストの上昇を最小限に抑えつつ、アースピン４を備えるプラグ１の大型化を抑制できる。
【００５９】
本実施形態の場合、第二支持部５に突起（第一突起５１）が設けられ、摺動案内部６６にカム溝（カム溝６７）が設けられている。しかしながら、第二支持部５にカム溝が設けられ、摺動案内部６６に当該カム溝と嵌合する突起が設けられる構成が採用されうる。
【００６０】
本実施形態の場合、第二支持部５に突起（第二突起５２）が設けられ、摺動案内部３２にカム溝（カム溝３３）が設けられている。しかしながら、第二支持部５にカム溝が設けられ、摺動案内部３２に当該カム溝と嵌合する突起が設けられる構成が採用されうる。
【００６１】
第一突起５１と第二突起５２の一方は、プラグ１の仕様に応じて省略されうる。この場合、省略された突起に対応するカム溝も省略される。
【００６２】
図６の（ａ）は、第二の実施形態に係るプラグ１０１の使用時における外観を示す斜視図である。プラグ１０１は、使用に際して交流電力ソケットに接続されるプラグである。プラグ１０１には、図示しない給電線が接続されている。
【００６３】
プラグ１０１は、一対の交流ピン１０２を備えている。一対の交流ピン１０２は、金属などの導電性材料により形成されている。一対の交流ピン１０２は、規格により定められた間隔をあけて配列され、互いに平行に延びている。一対の交流ピン１０２は、プラグ１０１が交流電力ソケットに接続される際に、当該交流電力ソケットの交流端子に接続される。
【００６４】
プラグ１０１は、第一支持部１０３を備えている。第一支持部１０３は、樹脂などの絶縁性材料により形成されている。第一支持部１０３は、一対の交流ピン１０２を支持している。
【００６５】
プラグ１０１は、アースピン１０４を備えている。アースピン１０４は、樹脂などの絶縁性材料により形成されている。アースピン１０４は、一対の交流ピン１０２と平行に、第一方向に延びている。図６の（ａ）に示した状態において、アースピン１０４は、一対の交流ピン１０２の各々に対して、規格により定められた間隔をあけて配置されている。アースピン１０４は、プラグ１０１が交流電力ソケットに接続される際に、当該交流電力ソケットのアース端子に接続される。アースピン１０４は、一対の交流ピン１０２に対して電気的に絶縁されていれば、金属などの導電性材料により形成されてもよい。
【００６６】
一対の交流ピン１０２とアースピン１０４の形状および長さは、規格により適宜に定められる。例えば、英国における規格の場合、アースピン１０４が交流電力ソケットのアース端子に先ず挿入されることにより、交流端子を閉塞している安全シャッターが開放される。したがって、アースピン１０４の長さは、一対の交流ピン１０２よりも長い。
【００６７】
プラグ１０１は、第二支持部１０５を備えている。第二支持部１０５は、樹脂などの絶縁性材料により形成されている。第二支持部１０５は、アースピン１０４を支持している。本実施形態においては、アースピン１０４は、第二支持部１０５と一体に成形されている。しかしながら、別体として成形されたアースピン１０４と第二支持部１０５が結合される構成も採用されうる。
【００６８】
プラグ１０１は、カバー１０６を備えている。カバー１０６は、樹脂などの絶縁性材料により形成されている。カバー１０６は、第一支持部１０３に装着される。第二支持部１０５は、第一支持部１０３とカバー１０６の間に支持されている。
【００６９】
図６の（ｂ）は、プラグ１０１の不使用時における外観を示す斜視図である。第二支持部１０５は、図６の（ａ）に示した使用位置（第一位置の一例）と図６の（ｂ）に示した不使用位置（第二位置の一例）の間を摺動可能とされている。摺動方向は、アースピン１０４の延びている方向と直交する向き（第二方向）である。
【００７０】
第二支持部１０５が不使用位置に配置された場合における一対の交流ピン１０２とアースピン１０４の間隔は、第二支持部１０５が使用位置に配置された場合における当該間隔よりも小さい。
【００７１】
図７に示すように、プラグ１０１は、カム１０７を備えている。カム１０７は、樹脂などの絶縁性材料により形成されている。カム１０７は、第一支持部１０３と第二支持部１０５の間に配置されている。図７は、カバー１０６、アースピン１０４を支持している第二支持部１０５、およびカム１０７を、アースピン１０４の基端側から見た外観を示す分解斜視図である。
【００７２】
カバー１０６は、第一部分１０６１、第二部分１０６２、および第三部分１０６３を有している。第一部分１０６１は、カバー１０６が第一支持部１０３に装着されたときに一対の交流ピン１０２の間に配置される部分である。第二部分１０６２と第三部分１０６３は、その間に収容空間１０６４を区画している。収容空間１０６４は、不使用位置に配置されたアースピン１０４を収容するための空間である。
【００７３】
第二支持部１０５は、収容凹部１０５１を有している。収容凹部１０５１を区画する内壁面には、カム溝１０５２（カム面の一例）が形成されている。
【００７４】
カム溝１０５２は、第一凹部１０５２ａ、第二凹部１０５２ｂ、および第三凹部１０５２ｃを含んでいる。第二支持部１０５が第一支持部１０３に装着された状態において、第一凹部１０５２ａと第二凹部１０５２ｂは、第二方向に配列されている。第三凹部１０５２ｃは、第二方向に延びている。第一凹部１０５２ａは、第二方向と交差する向きに開口することにより、第三凹部１０５２ｃの一端部と連通している。第二凹部１０５２ｂは、第二方向と交差する向きに開口することにより、第三凹部１０５２ｃの他端部と連通している。
【００７５】
カム１０７（案内部材の一例）は、第一突起１０７１、第二突起１０７２、および貫通穴１０７３を有している。
【００７６】
図８の（ａ）は、一対の交流ピン１０２を支持している第一支持部１０３の外観を示す斜視図である。第一支持部１０３は、カバー受容部１０３１と摺動案内部１０３２を有している。カバー受容部１０３１は、カバー１０６に対応する形状の凹部を有している。摺動案内部１０３２は、第二方向に延びる溝の形状を有している。
【００７７】
摺動案内部１０３２の第二方向における寸法は、第一支持部１０３に装着された第二支持部１０５の同方向における寸法に対応している。摺動案内部１０３２の幅（第一方向と第二方向の双方に直交する向きの寸法）は、第一支持部１０３に装着された第二支持部１０５の同方向における寸法に対応している。
【００７８】
摺動案内部１０３２は、軸１０３３と有底穴１０３４を有している。軸１０３３と有底穴１０３４は、第一方向に延びている。
【００７９】
有底穴１０３４は、第一係合溝１０３４ａと第二係合溝１０３４ｂを有している。第一係合溝１０３４ａと第二係合溝１０３４ｂは、有底穴１０３４を区画する第一方向に延びる内壁の一部が窪むことにより形成されている。第一係合溝１０３４ａと第二係合溝１０３４ｂは、第一方向に延びている。
【００８０】
本実施形態においては、摺動案内部１０３２は、第一支持部１０３の一部として成形されている。しかしながら、別体として形成された第一支持部１０３と摺動案内部１０３２が結合される構成も採用されうる。
【００８１】
図８の（ｂ）は、第一支持部１０３にカム１０７を装着した状態を示している。カム１０７は、摺動案内部１０３２に配置される。このとき、摺動案内部１０３２に設けられた軸１０３３は、カム１０７の貫通穴１０７３に挿入される。他方、カム１０７に設けられた第二突起１０７２は、摺動案内部１０３２に形成された有底穴１０３４内に配置される。この状態において、カム１０７の第一突起１０７１と第二突起１０７２は、第一方向に延びている。
【００８２】
有底穴１０３４は、第一方向に直交する面内において、第二方向と交差する向きにも延びている。すなわち、カム１０７の第二突起１０７２は、有底穴１０３４の内部において、有底穴１０３４の延びる方向に沿って変位可能とされている。これにより、カム１０７は、第一方向に延びる軸１０３３を中心として、第一方向に直交する面内を回動可能とされている。
【００８３】
次いで、アースピン１０４を支持している第二支持部１０５が、摺動案内部１０３２に配置される。このとき、カム１０７の一部は、第二支持部１０５の収容凹部１０５１内に収容される。カム１０７の第一突起１０７１は、第二支持部１０５のカム溝１０５２内に配置される。次いで、カバー１０６が、カバー受容部１０３１に装着される。これにより、第二支持部１０５は、第一支持部１０３と第二支持部１０５の間に挟持される。
【００８４】
次に、図９を参照しつつ、第二支持部１０５の使用位置と不使用位置の間の摺動動作についてより詳細に説明する。同図においては、カバー１０６は、不図示とされている。
【００８５】
図５の（ａ）は、第二支持部１０５が不使用位置に配置された状態を示している。このとき、カム１０７の第一突起１０７１は、第二支持部１０５に設けられたカム溝１０５２の第二凹部１０５２ｂと係合している。他方、カム１０７の第二突起１０７２（第二係合部の一例）は、摺動案内部１０３２に設けられた有底穴１０３４の第一係合溝１０３４ａ（第一係合部の一例）と係合している。第二凹部１０５２ｂと第一係合溝１０３４ａは、第二方向と平行な直線上に配列されており、第二凹部１０５２ｂは第二方向と交差する向きに開口しているため、第二支持部１０５は、第二方向への変位が規制されている。すなわち、アースピン１０４は、不使用位置に固定されている。
【００８６】
この状態から、図９の（ｂ）に示すように、アースピン１０４を使用位置に向けて引き出すと、カム１０７の第一突起１０７１は、カム溝１０５２の案内面に沿って第三凹部１０５２ｃに向かって変位する。これに伴い、カム１０７は、軸１０３３を中心として同図における反時計回りに回動し、第二突起１０７２の第一係合溝１０３４ａに対する係合が解除される。カム１０７の第一突起１０７１がカム溝１０５２の第三凹部１０５２ｃに進入すると、カム１０７の第二突起１０７２は、有底穴１０３４の第二係合溝１０３４ｂと係合する。この状態において、カム１０７の第一突起１０７１は、第三凹部１０５２ｃに沿う第二方向への変位が許容される。
【００８７】
アースピン１０４が使用位置へ向かってさらに引き出されると、カム１０７の第一突起１０７１は、カム溝１０５２の第一凹部１０５２ａに向かって、第三凹部１０５２ｃ内を第二方向に移動する。これにより、第二支持部１０５は、摺動案内部１０３２内を、第二方向に摺動する。
【００８８】
アースピン１０４が使用位置に到達すると、図９の（ｃ）に示すように、カム１０７の第一突起１０７１は、第二方向と交差する向きに開口しているカム溝１０５２の第一凹部１０５２ａに進入する。これに伴い、カム１０７は、軸１０３３を中心として同図における時計回りに回動し、第二突起１０７２の第二係合溝１０３４ｂに対する係合が解除される。カム１０７の第一突起１０７１がカム溝１０５２の第一凹部１０５２ａと係合すると、カム１０７の第二突起１０７２は、有底穴１０３４の第一係合溝１０３４ａと係合する。第一凹部１０５２ａ、第一係合溝１０３４ａは、第二方向に平行な直線上に配列されており、第一凹部１０５２ａは第二方向と交差する向きに開口しているため、第二支持部１０５は、第二方向への変位が規制されている。すなわち、アースピン１０４は、使用位置に固定される。
【００８９】
アースピン１０４を使用位置から不使用位置へ移動させるには、図９の（ａ）から（ｃ）を参照して説明した動作を逆に行なえばよい。
【００９０】
プラグ１０１の使用時においては、第二支持部１０５を図６の（ａ）に示した使用位置まで摺動させることにより、一対の交流ピン１０２とアースピン１０４を、規格で定められた位置関係が成立するように配置できる。他方、プラグ１０１の不使用時においては、第二支持部１０５を図６の（ｂ）に示した不使用位置まで摺動させることにより、一対の交流ピン１０２とアースピン１０４の間隔が小さくなり、プラグ１０１全体の寸法を小さくできる。アースピンを備えない形式のプラグの寸法に近づけることができるため、流通時において両形式に共通の梱包材を用いることが容易となる。
【００９１】
本実施形態の構成によれば、アースピン１０４が使用位置または不使用位置に固定された状態と、アースピン１０４が使用位置と不使用位置の間を移動可能な状態との間の遷移が、第一方向に延びる軸１０３３を中心とするカム１０７の回動により実現される。カム１０７の回動は、ユーザによるアースピン１０４の第二方向への操作のみによって実現される。第一の実施形態におけるアースピン４の回動操作のような操作は必要ないため、取扱い性に優れている。したがって、ユーザの利便性を確保しつつ、アースピン１０４を備えるプラグ１０１の大型化を抑制できる。
【００９２】
本実施形態においては、カム１０７の第一突起１０７１がカム溝１０５２の第一凹部１０５２ａまたは第二凹部１０５２ｂと係合しているとき、カム１０７の第二突起１０７２が、有底穴１０３４の第一係合溝１０３４ａと係合する。第一凹部１０５２ａ、第二凹部１０５２ｂ、および第一係合溝１０３４ａは、第二方向に平行な直線上に配列されている。他方、第一凹部１０５２ａと第二凹部１０５２ｂは、第二方向と交差する向きに開口している。そのため、アースピン１０４が使用位置または不使用位置に配置されている場合において、第一突起１０７１の第二方向への変位を規制しやすい。したがって、アースピン１０４の使用位置または不使用位置における固定状態を安定的にしつつ、アースピン１０４を備えるプラグ１０１の大型化を抑制できる。
【００９３】
本実施形態においては、カム１０７に第一突起１０７１が設けられ、第二支持部１０５にカム溝１０５２が設けられている。しかしながら、カム１０７にカム溝が設けられ、第二支持部１０５に当該カム溝と嵌合する突起が設けられる構成が採用されうる。
【００９４】
図１０の（ａ）は、第三の実施形態に係るプラグ２０１の使用時における外観を示す斜視図である。プラグ２０１は、使用に際して交流電力ソケットに接続されるプラグである。プラグ２０１には、図示しない給電線が接続されている。
【００９５】
プラグ２０１は、一対の交流ピン２０２を備えている。一対の交流ピン２０２は、金属などの導電性材料により形成されている。一対の交流ピン２０２は、規格により定められた間隔をあけて配列され、互いに平行に延びている。一対の交流ピン２０２は、プラグ２０１が交流電力ソケットに接続される際に、当該交流電力ソケットの交流端子に接続される。
【００９６】
プラグ２０１は、第一支持部２０３を備えている。第一支持部２０３は、樹脂などの絶縁性材料により形成されている。第一支持部２０３は、一対の交流ピン２０２を支持している。
【００９７】
プラグ２０１は、アースピン２０４を備えている。アースピン２０４は、樹脂などの絶縁性材料により形成されている。アースピン２０４は、一対の交流ピン２０２と平行に、第一方向に延びている。図１０の（ａ）に示した状態において、アースピン２０４は、一対の交流ピン２０２の各々に対して、規格により定められた間隔をあけて配置されている。アースピン２０４は、プラグ２０１が交流電力ソケットに接続される際に、当該交流電力ソケットのアース端子に接続される。アースピン２０４は、一対の交流ピン２０２に対して電気的に絶縁されていれば、金属などの導電性材料により形成されてもよい。
【００９８】
一対の交流ピン２０２とアースピン２０４の形状および長さは、規格により適宜に定められる。例えば、英国における規格の場合、アースピン２０４が交流電力ソケットのアース端子に先ず挿入されることにより、交流端子を閉塞している安全シャッターが開放される。したがって、アースピン２０４の長さは、一対の交流ピン２０２よりも長い。
【００９９】
プラグ２０１は、第二支持部２０５を備えている。第二支持部２０５は、樹脂などの絶縁性材料により形成されている。第二支持部２０５は、アースピン２０４を支持している。本実施形態においては、アースピン２０４は、第二支持部２０５と一体に成形されている。しかしながら、別体として成形されたアースピン２０４と第二支持部２０５が結合される構成も採用されうる。
【０１００】
プラグ２０１は、カバー２０６を備えている。カバー２０６は、樹脂などの絶縁性材料により形成されている。カバー２０６は、第一支持部２０３に装着される。第二支持部２０５は、第一支持部２０３とカバー２０６の間に支持されている。
【０１０１】
図１０の（ｂ）は、プラグ２０１の不使用時における外観を示す斜視図である。第二支持部２０５は、図１０の（ａ）に示した使用位置（第一位置の一例）と図１０の（ｂ）に示した不使用位置（第二位置の一例）の間を摺動可能とされている。摺動方向は、アースピン２０４の延びている方向と直交する向き（第二方向）である。
【０１０２】
第二支持部２０５が不使用位置に配置された場合における一対の交流ピン２０２とアースピン２０４の間隔は、第二支持部２０５が使用位置に配置された場合における当該間隔よりも小さい。
【０１０３】
図１１に示すように、プラグ２０１は、カムスプリング２０７を備えている。カムスプリング２０７は、樹脂などの絶縁性材料により形成されている。カムスプリング２０７は、第二支持部２０５と結合されている。図１１は、カバー２０６、アースピン２０４を支持している第二支持部２０５、およびカムスプリング２０７を、アースピン２０４の先端側から見た外観を示す分解斜視図である。
【０１０４】
カバー２０６は、第一部分２０６１、第二部分２０６２、および第三部分２０６３を有している。第一部分２０６１は、カバー２０６が第一支持部２０３に装着されたときに一対の交流ピン２０２の間に配置される部分である。第二部分２０６２と第三部分２０６３は、その間に収容空間２０６４を区画している。収容空間２０６４は、不使用位置に配置されたアースピン２０４を収容するための空間である。
【０１０５】
図１２の（ａ）に示すように、第二支持部２０５の第一側面２０５ａには、第一カム溝２０５１（カム面の一例）が設けられている。第一カム溝２０５１は、第一凹部２０５１ａ、第二凹部２０５１ｂ、および第三凹部２０５１ｃを含んでいる。第二支持部２０５が第一支持部２０３に装着された状態において、第一凹部２０５１ａと第二凹部２０５１ｂは、第二方向に配列されている。第三凹部２０５１ｃは、第二方向に延びている。第一凹部２０５１ａは、第一方向に開口することにより、第三凹部２０５１ｃの一端部と連通している。第二凹部２０５１ｂは、第一方向に開口することにより、第三凹部２０５１ｃの他端部と連通している。
【０１０６】
図１２の（ｂ）に示すように、第二支持部２０５の第二側面２０５ｂには、第二カム溝２０５２（カム面の一例）が設けられている。第二カム溝２０５２は、第一凹部２０５２ａ、第二凹部２０５２ｂ、および第三凹部２０５２ｃを含んでいる。第二支持部２０５が第一支持部２０３に装着された状態において、第一凹部２０５２ａと第二凹部２０５２ｂは、第二方向に配列されている。第三凹部２０５２ｃは、第二方向に延びている。第一凹部２０５２ａは、第二方向と交差する向きに開口することにより、第三凹部２０５２ｃの一端部と連通している。第二凹部２０５２ｂは、第二方向と交差する向きに開口することにより、第三凹部２０５２ｃの他端部と連通している。
【０１０７】
図１３の（ａ）と（ｂ）に示すように、カムスプリング２０７（操作部材の一例）は、第一腕部２０７１、第二腕部２０７２、および操作部２０７３を備えている。カムスプリング２０７が第一支持部２０３に装着された状態において、第一腕部２０７１と第二腕部２０７２は、第二方向に延びている。操作部２０７３は、第一腕部２０７１と第二腕部２０７２の各一端部同士を連結している。
【０１０８】
第一腕部２０７１は、第一突起２０７１ａ、第二突起２０７１ｂ、およびばね部２０７１ｃを備えている。第一突起２０７１ａは、第一腕部２０７１の第一側面２０７１ｄに設けられている。第一側面２０７１ｄは、第二腕部２０７２に対向する側面である。第二突起２０７１ｂは、第一腕部２０７１の第二側面２０７１ｅに設けられている。第二側面２０７１ｅは、第一側面２０７１ｄの反対側に位置する側面である。ばね部２０７１ｃは、第一腕部２０７１の第三側面２０７１ｆに片持ち梁状に支持されている。第三側面２０７１ｆは、カバー２０６とカムスプリング２０７が第一支持部２０３に装着された状態において、カバー２０６に対向する側面である。ばね部２０７１ｃは、同状態において第二方向に延びている。
【０１０９】
第二腕部２０７２は、第一突起２０７２ａ、第二突起２０７２ｂ、およびばね部２０７２ｃを備えている。第一突起２０７２ａは、第二腕部２０７２の第一側面２０７２ｄに設けられている。第一側面２０７２ｄは、第一腕部２０７１に対向する側面である。第二突起２０７２ｂは、第二腕部２０７２の第二側面２０７２ｅに設けられている。第二側面２０７２ｅは、第一側面２０７２ｄの反対側に位置する側面である。ばね部２０７２ｃは、第二腕部２０７２の第三側面２０７２ｆに片持ち梁状に支持されている。第三側面２０７２ｆは、カバー２０６とカムスプリング２０７が第一支持部２０３に装着された状態において、カバー２０６に対向する側面である。ばね部２０７２ｃは、同状態において第二方向に延びている。
【０１１０】
図１４の（ａ）と（ｂ）は、一対の交流ピン２０２を支持している第一支持部２０３の外観を示す斜視図である。第一支持部２０３は、カバー受容部２０３１と摺動案内部２０３２を有している。カバー受容部２０３１は、カバー２０６に対応する形状の凹部を有している。摺動案内部２０３２は、第二方向に延びる溝の形状を有している。
【０１１１】
摺動案内部２０３２の第二方向における寸法は、第一支持部２０３に装着された第二支持部２０５の同方向における寸法に対応している。摺動案内部２０３２の幅（第一方向と第二方向の双方に直交する向きの寸法）は、第一支持部２０３に装着された第二支持部２０５の同方向における寸法に対応している。
【０１１２】
摺動案内部２０３２は、第一受容溝２０３２ａと第二受容溝２０３２ｂを有している。第一受容溝２０３２ａと第二受容溝２０３２ｂは、第一方向に延びている。
【０１１３】
本実施形態においては、摺動案内部２０３２は、第一支持部２０３の一部として成形されている。しかしながら、別体として形成された第一支持部２０３と摺動案内部２０３２が結合される構成も採用されうる。
【０１１４】
上記のように構成されたプラグ２０１を組み立てるにあたっては、図１１に示したように、まず、カムスプリング２０７が、アースピン２０４を支持している第二支持部２０５に結合される。このとき、第一腕部２０７１に設けられた第一突起２０７１ａが、第二支持部２０５に設けられた第一カム溝２０５１内に配置される。また、第二腕部２０７２に設けられた第一突起２０７２ａが、第二支持部２０５に設けられた第二カム溝２０５２内に配置される。
【０１１５】
次いで、上記のように結合された第二支持部２０５とカムスプリング２０７が、第一支持部２０３に装着される。第二支持部２０５は、摺動案内部２０３２内に配置される。このとき、第一腕部２０７１に設けられた第二突起２０７１ｂが、摺動案内部２０３２に設けられた第一受容溝２０３２ａ内に配置される。また、第二腕部２０７２に設けられた第二突起２０７２ｂが、摺動案内部２０３２に設けられた第二受容溝２０３２ｂ内に配置される。
【０１１６】
次いで、カバー２０６が第一支持部２０３に装着される。このとき、カムスプリング２０７の第一腕部２０７１に設けられたばね部２０７１ｃは、撓み変形しつつ、カバー２０６の第一部分２０６１に当接する。カムスプリング２０７の第二腕部２０７２に設けられたばね部２０７２ｃも、撓み変形しつつ、カバー２０６の第一部分２０６１に当接する。これにより、カムスプリング２０７の操作部２０７３は、初期位置（無負荷状態における位置）へ向けて付勢される。カムスプリング２０７は、図１０に示したように、操作部２０７３のみが第一支持部２０３の外側に露出した状態とされる。
【０１１７】
次に、図１５を参照しつつ、第二支持部２０５の使用位置と不使用位置の間の摺動動作についてより詳細に説明する。図１５は、図１０の（ｂ）における線XV−XVに沿う断面に対応している。
【０１１８】
図１５の（ａ）は、第二支持部２０５が不使用位置に配置された状態を示している。このとき、カムスプリング２０７の第一腕部２０７１に設けられた第一突起２０７１ａは、第二支持部２０５に設けられた第一カム溝２０５１の第二凹部２０５１ｂと係合している。図示を省略するが、カムスプリング２０７の第二腕部２０７２に設けられた第一突起２０７２ａは、第二支持部２０５に設けられた第二カム溝２０５２の第二凹部２０５２ｂと係合している。第二凹部２０５１ｂ、２０５２ｂは第一方向に開口しているため、第二支持部２０５は、第二方向への変位が規制されている。すなわち、アースピン２０４は、不使用位置に固定されている。
【０１１９】
図１５の（ｂ）は、カムスプリング２０７の操作部２０７３が、ばね部２０７１ｃ、２０７２ｃの付勢力に抗って初期位置から変位された状態を示している。このとき、カムスプリング２０７は、摺動案内部２０３２の第一受容溝２０３２ａおよび第二受容溝２０３２ｂに受容されている第二突起２０７１ｂ、２０７２ｂを中心として同図における反時計回りに回動する。カバー２０６の第一部分２０６１に当接しているカムスプリング２０７のばね部２０７１ｃ、２０７２ｃは、撓み変形する。これにより、カムスプリング２０７の第一突起２０７１ａは、第一カム溝２０５１の第三凹部２０５１ｃに進入する。図示を省略するが、カムスプリング２０７の第一突起２０７２ａは、第二カム溝２０５２の第三凹部２０５２ｃに進入する。この状態において、カムスプリング２０７の第一突起２０７１ａ、２０７２ａは、それぞれ第三凹部２０５１ｃ、２０５２ｃに沿う第二方向への変位が許容される。
【０１２０】
次いで、図１５の（ｃ）に示すように、アースピン２０４が使用位置へ向かって引き出される。このとき、カムスプリング２０７の第一突起２０７１ａは、第一カム溝２０５１の第一凹部２０５１ａに向かって、第三凹部２０５１ｃ内を第二方向に移動する。図示を省略するが、カムスプリング２０７の第一突起２０７２ａは、第二カム溝２０５２の第一凹部２０５２ａに向かって、第三凹部２０５２ｃ内を第二方向に移動する。これにより、第二支持部２０５は、摺動案内部２０３２内を第二方向に摺動する。
【０１２１】
アースピン２０４が使用位置に到達すると、図１５の（ｄ）に示すように、操作部２０７３に対する押下が解除される。このとき、カムスプリング２０７のばね部２０７１ｃ、２０７２ｃは、元の形状に弾性復帰する。これにより、カムスプリング２０７は、第二突起２０７１ｂ、２０７２ｂを中心として同図における時計回りに回動する。カムスプリング２０７の第一突起２０７１ａは、第一方向に開口している第一カム溝２０５１の第一凹部２０５１ａと係合する。図示を省略するが、カムスプリング２０７の第一突起２０７２ａは、第一方向に開口している第二カム溝２０５２の第一凹部２０５２ａと係合する。したがって、第二支持部２０５は、第二方向への変位が規制される。すなわち、アースピン２０４は、使用位置に固定される。
【０１２２】
アースピン２０４を使用位置から不使用位置へ移動させるには、図１５の（ａ）から（ｄ）を参照して説明した動作を逆に行なえばよい。
【０１２３】
プラグ２０１の使用時においては、第二支持部２０５を図１０の（ａ）に示した使用位置まで摺動させることにより、一対の交流ピン２０２とアースピン２０４を、規格で定められた位置関係が成立するように配置できる。他方、プラグ２０１の不使用時においては、第二支持部２０５を図１０の（ｂ）に示した不使用位置まで摺動させることにより、一対の交流ピン２０２とアースピン２０４の間隔が小さくなり、プラグ２０１全体の寸法を小さくできる。アースピンを備えない形式のプラグの寸法に近づけることができるため、流通時において両形式に共通の梱包材を用いることが容易となる。
【０１２４】
本実施形態の構成によれば、アースピン２０４が使用位置または不使用位置に固定された状態から、アースピン２０４が使用位置と不使用位置の間を移動可能な状態への遷移が、カムスプリング２０７の操作部２０７３の変位のみで実現される。したがって、ユーザの利便性を確保しつつ、アースピン２０４を備えるプラグ２０１の大型化を抑制できる。
【０１２５】
本実施形態においては、カムスプリング２０７のばね部２０７１ｃ、２０７２ｃが、操作部２０７３を初期位置へ向けて付勢している。他方、カムスプリング２０７の第一突起２０７１ａは、操作部２０７３が初期位置に配置されているときに、第一カム溝２０５１の第一凹部２０５１ａまたは第二凹部２０５１ｂと係合可能とされている。同様に、カムスプリング２０７の第一突起２０７２ａは、操作部２０７３が初期位置に配置されているときに、第二カム溝２０５２の第一凹部２０５２ａまたは第二凹部２０５２ｂと係合可能とされている。操作部２０７３を、ばね部２０７１ｃ、２０７２ｃの付勢力に抗って初期位置から変位させることにより、第一突起２０７１ａの第一凹部２０５１ａまたは第二凹部２０５１ｂに対する係合が解除される。同様に、第一突起２０７２ａの第一凹部２０５２ａまたは第二凹部２０５２ｂに対する係合が解除される。
【０１２６】
このような構成によれば、カムスプリング２０７のばね部２０７１ｃ、２０７２ｃの付勢力により、カムスプリング２０７の第一突起２０７１ａが、第一カム溝２０５１の第一凹部２０５１ａまたは第二凹部２０５１ｂ内に安定的に保持される。同様に、カムスプリング２０７の第一突起２０７２ａが、第二カム溝２０５２の第一凹部２０５２ａまたは第二凹部２０５２ｂ内に安定的に保持される。そのため、アースピン２０４が使用位置または不使用位置に配置されている場合において、第一突起２０７１ａ、２０７２ａの第二方向への変位を規制しやすい。したがって、アースピン２０４の使用位置または不使用位置における固定状態の安定性を高めつつ、アースピン２０４を備えるプラグ２０１の大型化を抑制できる。
【０１２７】
本実施形態においては、カムスプリング２０７の第一腕部２０７１に第一突起２０７１ａが設けられ、第二支持部２０５の第一側面２０５ａに第一カム溝２０５１が設けられている。しかしながら、カムスプリング２０７の第一腕部２０７１にカム溝が設けられ、第二支持部２０５の第一側面２０５ａに当該カム溝と嵌合する突起が設けられる構成が採用されうる。
【０１２８】
本実施形態においては、カムスプリング２０７の第二腕部２０７２に第一突起２０７２ａが設けられ、第二支持部２０５の第二側面２０５ｂに第二カム溝２０５２が設けられている。しかしながら、カムスプリング２０７の第二腕部２０７２にカム溝が設けられ、第二支持部２０５の第二側面２０５ｂに当該カム溝と嵌合する突起が設けられる構成が採用されうる。
【０１２９】
本実施形態においては、カムスプリング２０７の第一腕部２０７１と第二腕部２０７２の双方に、カム溝と嵌合する突起、および操作部２０７３を初期位置に向けて付勢するばね部が設けられている。しかしながら、当該突起とばね部は、仕様に応じて、第一腕部２０７１と第二腕部２０７２のいずれか一方に設けられる構成が採用されうる。この場合、カム溝は、第二支持部２０５の第一側面２０５ａと第二側面２０５ｂのうち、突起とばね部が設けられている腕部に対向する側の側面に形成される。
【０１３０】
図１６の（ａ）は、第四の実施形態に係るプラグ３０１の使用時における外観を示す斜視図である。プラグ３０１は、使用に際して交流電力ソケットに接続されるプラグである。プラグ３０１には、図示しない給電線が接続されている。
【０１３１】
プラグ３０１は、一対の交流ピン３０２を備えている。一対の交流ピン３０２は、金属などの導電性材料により形成されている。一対の交流ピン３０２は、規格により定められた間隔をあけて配列され、互いに平行に延びている。一対の交流ピン３０２は、プラグ３０１が交流電力ソケットに接続される際に、当該交流電力ソケットの交流端子に接続される。
【０１３２】
プラグ３０１は、第一支持部３０３を備えている。第一支持部３０３は、樹脂などの絶縁性材料により形成されている。第一支持部３０３は、一対の交流ピン３０２を支持している。
【０１３３】
プラグ３０１は、アースピン３０４を備えている。アースピン３０４は、樹脂などの絶縁性材料により形成されている。アースピン３０４は、一対の交流ピン３０２と平行に、第一方向に延びている。図１６の（ａ）に示した状態において、アースピン３０４は、一対の交流ピン３０２の各々に対して、規格により定められた間隔をあけて配置されている。アースピン３０４は、プラグ３０１が交流電力ソケットに接続される際に、当該交流電力ソケットのアース端子に接続される。アースピン３０４は、一対の交流ピン３０２に対して電気的に絶縁されていれば、金属などの導電性材料により形成されてもよい。
【０１３４】
一対の交流ピン３０２とアースピン３０４の形状および長さは、規格により適宜に定められる。例えば、英国における規格の場合、アースピン３０４が交流電力ソケットのアース端子に先ず挿入されることにより、交流端子を閉塞している安全シャッターが開放される。したがって、アースピン３０４の長さは、一対の交流ピン３０２よりも長い。
【０１３５】
プラグ３０１は、第二支持部３０５を備えている。第二支持部３０５は、樹脂などの絶縁性材料により形成されている。第二支持部３０５は、アースピン３０４を支持している。本実施形態においては、アースピン３０４は、第二支持部３０５と一体に成形されている。しかしながら、別体として成形されたアースピン３０４と第二支持部３０５が結合される構成も採用されうる。
【０１３６】
図１６の（ｂ）は、プラグ３０１の不使用時における外観を示す斜視図である。第二支持部３０５は、図１６の（ａ）に示した使用位置（第一位置の一例）と図１６の（ｂ）に示した不使用位置（第二位置の一例）の間を摺動可能とされている。摺動方向は、アースピン３０４の延びている方向と直交する向き（第二方向）である。
【０１３７】
第二支持部３０５が不使用位置に配置された場合における一対の交流ピン３０２とアースピン３０４の間隔は、第二支持部３０５が使用位置に配置された場合における当該間隔よりも小さい。
【０１３８】
図１７に示すように、第一支持部３０３は、本体部３０３１と、カバー部３０３２を備えている。本体部３０３１は、一対の交流ピン３０２を支持している。本体部３０３１は、カバー受容部３０３３と摺動案内部３０３４を有している。カバー受容部３０３３は、カバー部３０３２に対応する形状の凹部を有している。摺動案内部３０３４は、第二方向に延びる溝の形状を有している。摺動案内部３０３４の幅（第一方向と第二方向の双方に直交する向きの寸法）は、第一支持部３０３に装着された第二支持部３０５の同方向における寸法に対応している。
【０１３９】
カバー部３０３２は、カバー受容部３０３３に装着される。第二支持部３０５は、本体部３０３１とカバー部３０３２の間に支持される。
【０１４０】
本実施形態においては、摺動案内部３０３４は、本体部３０３１の一部として成形されている。しかしながら、別体として形成された本体部３０３１と摺動案内部３０３４が結合される構成も採用されうる。
【０１４１】
図１８に示すように、プラグ３０１は、カムレバー３０７を備えている。カムレバー３０７は、樹脂などの絶縁性材料により形成されている。図１８は、カバー部３０３２、アースピン３０４を支持している第二支持部３０５、およびカムレバー３０７を、アースピン３０４の基端側から見た外観を示す分解斜視図である。
【０１４２】
第二支持部３０５は、その長手方向の一端部にアースピン３０４を支持している。第二支持部３０５は、その長手方向の他端部に結合部３０５１を有している。カムレバー３０７は、結合部３０５１に結合されている。結合部３０５１は、結合溝３０５１ａを有している。結合溝３０５１ａは、アースピン３０４の基端部から先端部へ向かう方向とは逆方向に開口している。
【０１４３】
カバー部３０３２は、第一部分３０３２ａ、第二部分３０３２ｂ、第三部分３０３２ｃ、および第四部分３０３２ｄを有している。第一部分３０３２ａと第二部分３０３２ｂは、カバー部３０３２が本体部３０３１に装着されたときに一対の交流ピン３０２の間に配置される部分である。第三部分３０３２ｃと第四部分３０３２ｄは、その間に収容空間３０３２ｅを区画している。収容空間３０３２ｅは、不使用位置に配置されたアースピン３０４を収容するための空間である。
【０１４４】
カバー部３０３２の第一部分３０３２ａには、第一突起３０３２ｆが設けられている。第一突起３０３２ｆは、カバー部３０３２の第二部分３０３２ｂに向かって延びている。カバー部３０３２の第二部分３０３２ｂには、第二突起３０３２ｇが設けられている。第二突起３０３２ｇは、カバー部３０３２の第一部分３０３２ａに向かって延びている。
【０１４５】
図１９の（ａ）に示すように、カムレバー３０７の第一側面３０７ａには、第一カム溝３０７１（カム面の一例）が設けられている。第一カム溝３０７１は、第一端部３０７１ａ、第二端部３０７１ｂ、中間部３０７１ｃ、および入口部３０７１ｄを含んでいる。第一端部３０７１ａは、中間部３０７１ｃの一端に連続している。第一端部３０７１ａが延びている方向と中間部３０７１ｃが延びている方向は交差している。第二端部３０７１ｂと入口部３０７１ｄは、中間部３０７１ｃの他端に連続している。第二端部３０７１ｂが延びている方向と中間部３０７１ｃの延びている方向は同一である。入口部３０７１ｄが延びている方向と中間部３０７１ｃが延びている方向は交差している。入口部３０７１ｄは、第一カム溝３０７１とカムレバー３０７の外部を連通している。
【０１４６】
図１９の（ｂ）に示すように、カムレバー３０７の第二側面３０７ｂには、第二カム溝３０７２（カム面の一例）が設けられている。第二カム溝３０７２は、第一端部３０７２ａ、第二端部３０７２ｂ、中間部３０７２ｃ、および入口部３０７２ｄを含んでいる。第一端部３０７２ａは、中間部３０７２ｃの一端に連続している。第一端部３０７２ａが延びている方向と中間部３０７２ｃが延びている方向は交差している。第二端部３０７２ｂと入口部３０７２ｄは、中間部３０７２ｃの他端に連続している。第二端部３０７２ｂが延びている方向と中間部３０７２ｃの延びている方向は同一である。入口部３０７２ｄが延びている方向と中間部３０７２ｃが延びている方向は交差している。入口部３０７２ｄは、第二カム溝３０７２とカムレバー３０７の外部を連通している。
【０１４７】
図１９の（ａ）と（ｂ）に示すように、カムレバー３０７は、その長手方向一端部に操作部３０７３を備えている。カムレバー３０７は、その長手方向他端部に第一腕部３０７４と第二腕部３０７５を備えている。
【０１４８】
図１９の（ｂ）に示すように、第一腕部３０７４は、第二腕部３０７５に対向する内側面３０７４ａを有している。内側面３０７４ａには、軸３０７４ｂ、第一係止溝３０７４ｃ、および第二係止溝３０７４ｄが設けられている。軸３０７４ｂは、第二腕部３０７５に向かって延びている。第一係止溝３０７４ｃは、第一カム溝３０７１の第二端部３０７１ｂと同じ方向に延びている。第二係止溝３０７４ｄは、第一カム溝３０７１の第一端部３０７１ａと同じ方向に延びている。
【０１４９】
図１９の（ａ）に示すように、第二腕部３０７５は、第一腕部３０７４に対向する内側面３０７５ａを有している。内側面３０７５ａには、軸３０７５ｂ、第一係止溝３０７５ｃ、および第二係止溝３０７５ｄが設けられている。軸３０７５ｂは、第一腕部３０７４に向かって延びている。第一係止溝３０７５ｃは、第二カム溝３０７２の第二端部３０７２ｂと同じ方向に延びている。第二係止溝３０７５ｄは、第二カム溝３０７２の第一端部３０７２ａと同じ方向に延びている。
【０１５０】
図２０は、第二支持部３０５の結合部３０５１を拡大して示す斜視図である。図２０の（ａ）に示すように、結合部３０５１は、第一側面３０５１ｂを有している。第一側面３０５１ｂには、係止突起３０５１ｃが設けられている。図２０の（ｂ）に示すように、結合部３０５１は、第二側面３０５１ｄを有している。第二側面３０５１ｄには、係止突起３０５１ｅが設けられている。
【０１５１】
上記のように構成されたプラグ３０１を組み立てるにあたっては、図１８に示したように、まず、カムレバー３０７が、アースピン３０４を支持している第二支持部３０５に結合される。具体的には、第一腕部３０７４に設けられた軸３０７４ｂと第二腕部３０７５に設けられた軸３０７５ｂが、第二支持部３０５の結合部３０５１に設けられた結合溝３０５１ａと結合される。これにより、カムレバー３０７は、第二支持部３０５に対して軸３０７４ｂ、３０７５ｂを中心として回動可能とされる。
【０１５２】
次いで、上記のように結合された第二支持部３０５とカムレバー３０７が、第一支持部３０３の本体部３０３１に装着される。第二支持部３０５とカムレバー３０７の一部は、摺動案内部３０３４内に配置される。このとき、第二支持部３０５の結合部３０５１に設けられた係止突起３０５１ｃ、３０５１ｅは、第二方向に延びるように配置される。
【０１５３】
次いで、第一支持部３０３のカバー部３０３２が、本体部３０３１のカバー受容部３０３３に装着される。このとき、カバー部３０３２の第一部分３０３２ａに設けられた第一突起３０３２ｆが、カムレバー３０７に設けられた第一カム溝３０７１の入口部３０７１ｄを通じて、第一カム溝３０７１内に挿入される。また、カバー部３０３２の第二部分３０３２ｂに設けられた第二突起３０３２ｇが、カムレバー３０７に設けられた第二カム溝３０７２の入口部３０７２ｄを通じて、第二カム溝３０７２内に挿入される。
【０１５４】
図１８に示したように、カバー部３０３２は、第一貫通穴３０３２ｈと第二貫通穴３０３２ｉを有している。第一貫通穴３０３２ｈは、第三部分３０３２ｃに形成されている。第二貫通穴３０３２ｉは、第四部分３０３２ｄに形成されている。他方、図１７に示したように、カバー受容部３０３３は、第一受容穴３０３３ａと第二受容穴３０３３ｂを有している。第一受容穴３０３３ａは、カバー部３０３２がカバー受容部３０３３に装着されたときに第一貫通穴３０３２ｈに対向する位置に形成されている。第二受容穴３０３３ｂは、カバー部３０３２がカバー受容部３０３３に装着されたときに第二貫通穴３０３２ｉに対向する位置に形成されている。
【０１５５】
カバー部３０３２がカバー受容部３０３３に装着された状態において、不図示の第一締結部材が第一貫通穴３０３２ｈを挿通され、第一受容穴３０３３ａに挿入される。同様に、不図示の第二締結部材が第二貫通穴３０３２ｉを挿通され、第二受容穴３０３３ｂに挿入される。これにより、カバー部３０３２は、本体部３０３１に対して固定される。
【０１５６】
この状態において、カムレバー３０７は、第一支持部３０３に対して使用位置と不使用位置の間で回動可能とされる。使用位置（第三位置の一例）において、カムレバー３０７は、第一カム溝３０７１の第一端部３０７１ａと第二カム溝３０７２の第一端部３０７２ａが第一方向に延びる姿勢をとる。したがって、第一係止溝３０７４ｃ、３０７５ｃは第二方向に延び、第二係止溝３０７４ｄ、３０７５ｄは第一方向に延びる。不使用位置（第四位置の一例）において、カムレバー３０７は、第一カム溝３０７１の第二端部３０７１ｂと第二カム溝３０７２の第二端部３０７２ｂが第一方向に延びる姿勢をとる。したがって、第一係止溝３０７４ｃ、３０７５ｃは第一方向に延び、第二係止溝３０７４ｄ、３０７５ｄは第二方向に延びる。
【０１５７】
次に、図２１を参照しつつ、第二支持部３０５の使用位置と不使用位置の間の摺動動作についてより詳細に説明する。図２１は、図１６の（ｂ）における線XXI−XXIに沿う断面に対応している。
【０１５８】
図２１の（ａ）は、第二支持部２０５が不使用位置に配置された状態を示している。このとき、カムレバー３０７は、第一支持部３０３から第一方向に突出している。カバー部３０３２の第二部分３０３２ｂに設けられた第二突起３０３２ｇは、カムレバー３０７に設けられた第二カム溝３０７２の第二端部３０７２ｂと係合している。また、第二支持部３０５の結合部３０５１に設けられた係止突起３０５１ｅは、カムレバー３０７に設けられた第二係止溝３０７５ｄと係合している。図示を省略するが、カバー部３０３２の第一部分３０３２ａに設けられた第一突起３０３２ｆは、カムレバー３０７に設けられた第一カム溝３０７１の第二端部３０７１ｂと係合している。また、第二支持部３０５の結合部３０５１に設けられた係止突起３０５１ｃは、カムレバー３０７に設けられた第二係止溝３０７４ｄと係合している。第二端部３０７１ｂ、３０７２ｂは第一方向に延びているため、第二支持部３０５は、第二方向への変位が規制されている。すなわち、アースピン３０４は、不使用位置に固定されている。
【０１５９】
図２１の（ｂ）は、カムレバー３０７の操作部３０７３が、不使用位置から離れるように操作された状態を示している。このとき、カムレバー３０７は、第二支持部３０５の結合部３０５１に結合されて第一方向と第二方向の双方に直交する向きに延びている軸３０７４ｂ、３０７５ｂを中心として、同図における反時計回りに回動する。これにより、カバー部３０３２の第二突起３０３２ｇは、カムレバー３０７の第二カム溝３０７２における中間部３０７２ｃに進入する。また、カムレバー３０７の第二係止溝３０７５ｄに対する第二支持部３０５の係止突起３０５１ｅの係合が解除される。図示を省略するが、カバー部３０３２の第一突起３０３２ｆは、カムレバー３０７の第一カム溝３０７１における中間部３０７１ｃに進入する。第一カム溝０５１の第三凹部２０５１ｃに進入する。また、カムレバー３０７の第二係止溝３０７４ｄに対する第二支持部３０５の係止突起３０５１ｃの係合が解除される。第二支持部３０５は、使用位置に向かって摺動案内部３０３４内を第二方向に摺動する。
【０１６０】
アースピン３０４が使用位置に到達すると、図２１の（ｃ）に示すように、カムレバー３０７は、操作部３０７３以外の部分が摺動案内部３０３４（第一支持部の内部の一例）に収容される。これにより、カムレバー３０７は、第一支持部３０３から第一方向に突出していない状態とされる。
【０１６１】
このとき、カバー部３０３２の第二部分３０３２ｂに設けられた第二突起３０３２ｇは、カムレバー３０７に設けられた第二カム溝３０７２の第一端部３０７２ａと係合している。また、第二支持部３０５の結合部３０５１に設けられた係止突起３０５１ｅは、カムレバー３０７に設けられた第一係止溝３０７５ｃと係合している。図示を省略するが、カバー部３０３２の第一部分３０３２ａに設けられた第一突起３０３２ｆは、カムレバー３０７に設けられた第一カム溝３０７１の第一端部３０７１ａと係合している。また、第二支持部３０５の結合部３０５１に設けられた係止突起３０５１ｃは、カムレバー３０７に設けられた第一係止溝３０７４ｃと係合している。第一端部３０７１ａ、３０７２ａは第一方向に延びているため、第二支持部３０５は、第二方向への変位が規制されている。すなわち、アースピン３０４は、使用位置に固定されている。
【０１６２】
アースピン３０４を使用位置から不使用位置へ移動させるには、図２１の（ａ）から（ｃ）を参照して説明した動作を逆に行なえばよい。
【０１６３】
プラグ３０１の使用時においては、第二支持部３０５を図１６の（ａ）に示した使用位置まで摺動させることにより、一対の交流ピン３０２とアースピン３０４を、規格で定められた位置関係が成立するように配置できる。他方、プラグ３０１の不使用時においては、第二支持部３０５を図１６の（ｂ）に示した不使用位置まで摺動させることにより、一対の交流ピン３０２とアースピン３０４の間隔が小さくなり、プラグ３０１全体の寸法を小さくできる。アースピンを備えない形式のプラグの寸法に近づけることができるため、流通時において両形式に共通の梱包材を用いることが容易となる。
【０１６４】
本実施形態の構成によれば、第二支持部３０５の使用位置と不使用位置の間の摺動を、カムレバー３０７の回動操作のみによって実現できる。第二支持部３０５が不使用位置にある場合、カムレバー３０７は、第一支持部３０３から第一方向に突出しているため、第一方向と交差する方向への寸法増大を回避できる。また、ユーザによるカムレバー３０７へのアクセスが容易とされる。他方、第二支持部３０５が使用位置にある場合、カムレバー３０７の一部は第一支持部３０３の内部に収容され、第一方向に突出しない。そのため、プラグ３０１の交流電力ソケットへの接続操作を妨げない。したがって、ユーザの利便性を確保しつつ、アースピン３０４を備えるプラグ３０１の大型化を抑制できる。
【０１６５】
本実施形態においては、カムレバー３０７が使用位置に配置されると、カバー部３０３２に設けられた第一突起３０３２ｆは、カムレバー３０７に設けられた第一カム溝３０７１の第一端部３０７１ａ（カム面の第一部分の一例）に配置される。また、カバー部３０３２に設けられた第二突起３０３２ｇは、カムレバー３０７に設けられた第二カム溝３０７２の第一端部３０７２ａ（カム面の第一部分の一例）に配置される。このとき、第一端部３０７１ａ、３０７２ａは、それぞれ第一方向に延びている。他方、カムレバー３０７が不使用位置に配置されると、カバー部３０３２に設けられた第一突起３０３２ｆは、カムレバー３０７に設けられた第一カム溝３０７１の第二端部３０７１ｂ（カム面の第二部分の一例）に配置される。また、カバー部３０３２に設けられた第二突起３０３２ｇは、カムレバー３０７に設けられた第二カム溝３０７２の第二端部３０７２ｂ（カム面の第一部分の一例）に配置される。このとき、第二端部３０７１ｂ、３０７２ｂは、それぞれ第一方向に延びている。
【０１６６】
このような構成によれば、アースピン３０４が使用位置または不使用位置に配置されている場合において、第一突起３０２２ｆと第二突起３０２２ｇの第二方向への変位を規制しやすい。したがって、アースピン３０４の使用位置または不使用位置における固定状態の安定性を高めつつ、アースピン３０４を備えるプラグ３０１の大型化を抑制できる。
【０１６７】
本実施形態においては、第一支持部３０３のカバー部３０３２に第一突起３０３２ｆが設けられ、カムレバー３０７の第一側面３０７ａに第一カム溝３０７１が設けられている。しかしながら、不使用位置にあるカムレバー３０７が第一支持部３０３から第一方向に突出し、使用位置にあるカムレバー３０７の一部が第一支持部３０３の内部に収容されて第一支持部３０３から第一方向に突出しない構成とされていれば、第一支持部３０３にカム溝が設けられ、カムレバー３０７の第一側面３０７ａに当該カム溝と嵌合する突起が設けられる構成が採用されうる。
【０１６８】
本実施形態においては、第一支持部３０３のカバー部３０３２に第二突起３０３２ｇが設けられ、カムレバー３０７の第二側面３０７ｂに第二カム溝３０７２が設けられている。しかしながら、不使用位置にあるカムレバー３０７が第一支持部３０３から第一方向に突出し、使用位置にあるカムレバー３０７の一部が第一支持部３０３の内部に収容されて第一支持部３０３から第一方向に突出しない構成とされていれば、第一支持部３０３にカム溝が設けられ、カムレバー３０７の第二側面３０７ｂに当該カム溝と嵌合する突起が設けられる構成が採用されうる。
【０１６９】
本実施形態においては、カバー部３０２２の第一部分３０２２ａと第二部分３０２２ｂの双方に、カム溝と嵌合する突起が設けられている。しかしながら、当該突起は、仕様に応じて、第一部分３０２２ａと第二部分３０２２ｂのいずれか一方に設けられる構成が採用されうる。この場合、カム溝は、カムレバー３０７の第一側面３０７ａと第二側面３０７ｂのうち、突起に対向する側の側面に形成される。
【０１７０】
図２２は、上記のプラグ１（１０１、２０１、３０１）を備える装置１０の構成を模式的に示している。装置１０は、給電部１１を備えている。給電部１１とプラグ１（１０１、２０１、３０１）は、給電線１２により接続されている。給電部１１は、プラグ１（１０１、２０１、３０１）を通じ、給電対象２０へ電力を供給するように構成されている。
【０１７１】
給電対象２０は、装置１０の内部にあっても外部にあってもよい。給電対象２０は、装置１０に対して着脱可能であってもよい。また、装置１０は、プラグ１（１０１、２０１、３０１）と一体とされてもよい。装置１０の例としては、電子機器、ＡＣアダプタ、充電器などが挙げられる。
【０１７２】
上記の実施形態は本発明の理解を容易にするためのものであって、本発明を限定するものではない。本発明は、その趣旨を逸脱することなく変更・改良されうる。また、等価物が本発明の技術的範囲に含まれることは明らかである。
【符号の説明】
【０１７３】
１：プラグ、２：交流ピン、３：第一支持部、４：アースピン、５：第二支持部、１０：装置、１１：給電部、２０：給電対象、３２：摺動案内部、３３：カム溝、３３ａ：第一凹部、３３ｂ：第二凹部、３３ｃ：第三凹部、５１：第一突起、５２：第二突起、：カム面、５２：第一凹部、５３：第二凹部、６６：摺動案内部、６７：カム溝、６７ａ：第一凹部、６７ｂ：第二凹部、６７ｃ：第三凹部、１０１：プラグ、１０２：交流ピン、１０３：第一支持部、１０３３：軸、１０３４ａ：第一係合溝、１０３４ｂ：第二係合溝、１０４：アースピン、１０５：第二支持部、１０５２：カム溝、１０５２ａ：第一凹部、１０５２ｂ：第二凹部、１０５２ｃ：第三凹部、１０７：カム、１０７１：第一突起、１０７２：第二突起、２０１：プラグ、２０２：交流ピン、２０３：第一支持部、２０４：アースピン、２０５：第二支持部、２０５１：第一カム溝、２０５１ａ：第一凹部、２０５１ｂ：第二凹部、２０５２：第二カム溝、２０５２ａ：第一凹部、２０５２ｂ：第二凹部、２０７：カムスプリング、２０７１ａ：第一突起、２０７１ｃ：ばね部、２０７２ａ：第二突起、２０７２ｃ：ばね部、３０１：プラグ、３０２：交流ピン、３０３：第一支持部、３０３２ｆ：第一突起、３０３２ｇ：第二突起、３０４：アースピン、３０５：第二支持部、３０７：カムレバー、３０７１：第一カム溝、３０７１ａ：第一端部、３０７１ｂ：第二端部、３０７２ｂ：第二カム溝、３０７２ａ：第一端部、３０７２ｂ：第二端部、３０７４ｂ：軸、３０７５ｂ：軸
【図１】
2016081720.tif 000003
【図２】
2016081720.tif 000004
【図３】
2016081720.tif 000005
【図４】
2016081720.tif 000006
【図５】
2016081720.tif 000007
【図６】
2016081720.tif 000008
【図７】
2016081720.tif 000009
【図８】
2016081720.tif 000010
【図９】
2016081720.tif 000011
【図１０】
2016081720.tif 000012
【図１１】
2016081720.tif 000013
【図１２】
2016081720.tif 000014
【図１３】
2016081720.tif 000015
【図１４】
2016081720.tif 000016
【図１５】
2016081720.tif 000017
【図１６】
2016081720.tif 000018
【図１７】
2016081720.tif 000019
【図１８】
2016081720.tif 000020
【図１９】
2016081720.tif 000021
【図２０】
2016081720.tif 000022
【図２１】
2016081720.tif 000023
【図２２】
2016081720.tif 000024